(57)【要約】【課題】配電盤内及び配電盤外での接続に対応できると共に、配電盤内に配設する場合は、接続導体を必要とせずに接続作業を容易にし、設置スペースが節約できる通電情報表示装置を得る。【解決手段】電路の通電情報を計測する計測手段２と、計測手段２を収容する筐体３と、筐体３の前面に配設されて通電情報を表示する表示部４と、筐体３の側面の一端側に突設された入力側接続端子５及び他端側に設けられた出力側接続端子８と、入力側接続端子５を保持する端子台６とを備えた通電情報表示装置１において、端子台６は、端子用凹部６ａに入力側接続端子５が挿入され締付ねじ７で固定されて入力側接続端子５及び筐体３に装着されており、締結ねじ７を外して入力側接続端子５を引き抜くことにより取り外し可能に構成した。【選択図】図１
2010071667.tif 000002
【特許請求の範囲】
【請求項１】
電路の通電情報を計測する計測手段と、前記計測手段を収容する筐体と、前記筐体の前面に配設されて前記計測手段で計測した前記通電情報を表示する表示部と、前記筐体の側面の一端側に突設された平板状の入力側接続端子及び他端側に設けられた出力側接続端子と、前記入力側接続端子を保持する端子台とを備えた通電情報表示装置において、
前記端子台は、保持面に形成された端子用凹部に前記入力側接続端子が挿入され締付ねじで固定されて前記入力側接続端子及び前記筐体に装着されており、前記締付ねじを外して前記入力側接続端子を引き抜くことにより取り外し可能に構成されていることを特徴とする通電情報表示装置。
【請求項２】
請求項１記載の通電情報表示装置において、前記端子台を前記筐体に装着したときに、装着面の一方に設けた係合突起が、他方に設けた係合溝に係合するように構成されていることを特徴とする請求項１に記載の通電情報表示装置。
【請求項３】
請求項１又は請求項２に記載の通電情報表示装置において、前記入力側接続端子の幅方向の側面に嵌合凹部を設け、前記端子台側に前記嵌合凹部と嵌合する嵌合凸部を設け、前記端子台を前記入力側接続端子に装着したときに、前記嵌合凸部と前記嵌合凹部とが嵌合して係止するように構成されていることを特徴とする通電情報表示装置。
【請求項４】
請求項１〜請求項３のいずれか１項に記載の通電情報表示装置において、前記入力側接続端子の先端側の両角部にテーパ部又はＲ部が形成されていることを特徴とする通電情報表示装置。
【発明の詳細な説明】
【技術分野】
【０００１】
この発明は、電路に流れる電流、電路に印加される電圧、電路に流れる漏洩電流等の通電情報を計測し表示させる通電情報表示装置に関し、特に、配電用遮断器に用いられる遮断器形の通電情報表示装置に関するものである。
【背景技術】
【０００２】
配電盤内において、電路に流れる通電情報を検出して表示させる場合、電路に配設された遮断器に直列に遮断器形の通電情報表示装置（電子式電力量計）を配設し、この通電情報表示装置と遮断器との間を、電線等を用いてねじ止めにより接続し、電圧及び電流の実効値，電力，電力量，力率等の通電情報を表示装置で表示するようにしている。
従来の遮断器形の電子式電力量計は、例えば、電子式電力量計本体を収容する容器と、その容器の開口部を覆い表示部を備えた蓋部とを有し、容器の一辺側に電源との接続部を備え、対向する他辺側に負荷との接続部を備え、各接続部は、容器の端部に設けられた端子用凹部に各相の接続端子が保持されて構成されている（例えば、特許文献１参照）。
【０００３】
【特許文献１】特開２００３−２８８９７号公報（第３頁、図１）
【発明の開示】
【発明が解決しようとする課題】
【０００４】
遮断器形の通電情報表示装置（電子式電力量計）の場合、通電情報表示装置は、配電盤（分電盤を含む）内に配設される場合の他に配電盤外に配設される場合があり、いずれの場合も遮断器（又は電路）と通電情報表示装置とは導体により接続されて使用される。上記の特許文献１に示すような従来の電子式電力量計を配電盤内に配設して使用する場合は、遮断器の負荷側の接続端子と電子式電力量計の一端側の接続端子とを、電線又はブスバー等の接続導体を介して接続することになる。このため、締結箇所が２箇所となり接続作業に手間がかかると共に、遮断器と電子式電力量計との間に接続導体のためのスペースを要し、そのぶん配電盤内のスペースが狭くなるという問題点があった。
【０００５】
この発明は、上記のような問題点を解消するためになされたもので、配電盤内及び配電盤外での接続に対応できると共に、配電盤内に配設する場合は、接続導体を必要とせずに接続作業を容易にし、設置スペースが節約できる通電情報表示装置を提供することを目的とする。
【課題を解決するための手段】
【０００６】
この発明に係わる通電情報表示装置は、電路の通電情報を計測する計測手段と、計測手段を収容する筐体と、筐体の前面に配設されて計測手段で計測した通電情報を表示する表示部と、筐体の側面の一端側に突設された平板状の入力側接続端子及び他端側に設けられた出力側接続端子と、入力側接続端子を保持する端子台とを備えた通電情報表示装置において、端子台は、保持面に形成された端子用凹部に入力側接続端子が挿入され締付ねじで固定されて入力側接続端子及び筐体に装着されており、締付ねじを外して入力側接続端子を引き抜くことにより取り外し可能に構成されているものである。
【発明の効果】
【０００７】
この発明の通電情報表示装置によれば、入力側接続端子を保持する端子台を、入力側接続端子及び筐体に着脱可能に構成したので、端子台を装着した状態では、配電盤の内外を問わず任意の場所で設置可能であり、端子台を外した状態では、入力側接続端子が突出するので、直接配電盤内の遮断器に接続することができる。したがって、配電盤内に配設す
る場合は、接続導体を必要としないため接続作業が簡単になり、また、設置スペースを節約することができる。
【発明を実施するための最良の形態】
【０００８】
実施の形態１．
図１は実施の形態１による通電情報表示装置の斜視図であり、図２は、図１の正面図である。但し、図２では前面の表示部を外した状態を示している。図３は、図１の通電情報表示装置の構成を示すブロック図である。また、図４は図１の端子台の着脱を説明する斜視図である。
【０００９】
図１及び図２において、通電情報表示装置１は電圧及び電流の実効値，電力，電力量，力率等の通電情報を計測する計測手段２（詳細は後述する）と、計測手段２を収容する筐体３と、計測手段２で計測された電気量を表示させ、また演算条件・制御条件を入力する表示部４と、計測対象である電路９（図３参照）に接続される入力側接続端子５と、入力側接続端子５及び筐体３に着脱可能に装着される端子台６と、入力側接続端子５を端子台６に締め付ける締付ねじ７と、出力側接続端子８とで構成されている。
【００１０】
負荷側の電路に接続するための出力側接続端子８は、図２に示すように、筐体３の側面の、入力側接続端子５とは反対側にあって、入力側接続端子５と対向する位置に設けられており、両接続端子５，８は、筐体３内部で電気的に接続されている。図１，２は、３相の場合を示しているので、両接続端子５，８は各３個であるが、単相の場合であれば各２個となる。
【００１１】
図３のブロック図により計測手段２と表示部３の内部の詳細について説明する。
計測手段２は、電路９に接続された入力側接続端子５からの情報を取り入れるため、一次側（入力側接続端子５と出力側接続端子８とを結ぶ導体）に流れる電流に比例した電圧を出力する電流検出部２ａ、一次側に印加された電圧に比例した電圧を出力する電圧検出部２ｂ、一次側に流れた漏洩電流に比例した電圧を出力する漏電検出部２ｃを備え、更に、これら２ａ〜２ｃで検出された電圧の不要な高調波成分を除去し必要な振幅に増幅するフィルタ・増幅部２ｄ、増幅された波形をＡ／Ｄ変換により取り込み演算処理することで必要なデータを求める演算・処理部２ｅ、外部接点情報の入力及び外部への警報情報・積算電力量パルス情報を出力する接点入出力部２ｆから構成されている。
【００１２】
表示部４は、計測手段２の演算・処理部２ｅで演算された電圧及び電流の実効値，電力，電力量，力率等の通電情報を表示する７セグ表示部４ａ、７セグ表示部４ａで表示されている数値の要素や表示条件及び本装置の状態を表示するＬＥＤ表示部４ｂ、表示部４に表示される要素の切替えや設定項目選択及び設定条件の決定を入力するボタン入力部４ｃから構成されている。実際の配置は図２の表示部４に示すようになっている。
【００１３】
次に、図４により、この発明の特徴部である着脱可能な端子台部の詳細について説明する。図は端子台６及び前面の表示部４を取り外した状態を示している。
入力側接続端子５は、平板状をしており、筐体３の側面の一端側に突設されている。この入力側接続端子５には、中央部に締付ねじ７により端子台６と接続するための貫通孔５ａが設けられ、根元部の両側に端子台６を嵌合させて係止させるための嵌合凹部５ｂが設けられ、更に先端側の両角部には端子台６もしくは後述の遮断器の接続部に装着しやすくするためのテーパ部５ｃが形成されている。なお、テーパ部に替えてＲ部でも良い。
【００１４】
端子台６は、入力側接続端子５が保持される側の保持面に形成された端子用凹部６ａと、その両側部に形成された隔壁６ｂと、入力側接続端子５を締付ねじ７により固定するための雌ねじ部６ｃ（例えば、ナットを埋め込んで構成されている）と、先に説明した入力側接続端子５の嵌合凹部５ｂと嵌合させて保持するための嵌合凸部６ｄと、筐体３に設けた係合溝３ａに係合する係合突起６ｅと、更に、取付用貫通穴６ｆとを備えている。また、筐体３の出力側接続端子８を有する側にも、取付用貫通穴３ｂが設けられている。
なお、端子台６と筐体３との装着面に設ける上述の係合突起６ｅと係合溝３ａは、図とは逆にして、端子台６側に係合溝、筐体３側に係合突起を設けても良い。
【００１５】
次に、筐体３に端子台６を装着する動作について、図４を参照しながら説明する。端子台６を矢印Ａの方向に移動させ、端子台６の端子用凹部６ａに入力側接続端子５を挿入する。このとき入力側接続端子５の先端角部に形成したテーパ部５ｃを端子台６の嵌合凸部６ｄに当接させた後、更に端子台６を矢印Ａ方向に押圧すると、嵌合凸部６ｄが塑性変形することで入力側接続端子５は端子用凹部６ａに摺動しながら嵌り込み、最終端で嵌合凸部６ｄと嵌合凹部５ｂとが嵌合し、係止される。この工程に連動して、端子台６に凸設された係合突起６ｅが、筐体３に凹設された係合溝３ａと係合する。次に、締付ねじ７を貫通孔５ａに貫通させて雌ねじ部６ｃにねじ込むことにより端子台６は筐体３に固着されて装着が完了し、端子台６と入力側接続端子５及び筐体３は一体（図１の状態）となる。
【００１６】
端子台６を筐体３から取り外す場合は、上記の工程とは逆に、締付ねじ７を緩めて取り外す。この時点では、端子台６と入力側接続端子５とは、嵌合凹部５ｂと嵌合凸部６ｄの嵌合で係止されており、また、端子台６と筐体３とは係合突起６ｅと係合溝３ａで係合されているので、仮止めされた状態で保持されている。端子台６に矢印Ａと反対方向に力を加えて引き抜くことで、嵌合凸部６ｄが塑性変形し入力側接続端子５の端子用凹部６ａとの係合が外れ、取り外しが完了する。
上記のように、締付ねじ７を外した状態で、端子台６が仮止め状態で保持されるので、入力側接続端子５に導体を接続するときは、接続が容易となる。
【００１７】
以上のように、本実施の形態の通電情報表示装置は、入力側接続端子５を保持する端子台６を容易に着脱できるように構成しているので、端子台６を装着した状態では、例えば、配電盤の外部において、計測対象の電路の近傍に自由に配設することができる。この場合は、取付用貫通穴６ｆ，３ｂを利用してボルト締め等によって所定の位置に固定する。通電情報表示装置１と計測対象の電路（又は機器）との間は、電線やブスバーで接続すればよい。
一方、配電盤内に設置されて配電用遮断器と組み合わせて使用する場合は、端子台６を取り外して以下のように設置する。
【００１８】
図５は、例えば、配電盤内において遮断器に通電情報表示装置１を取り付けて使用する状態を示す図である。但し、表示部４は取り外した状態を示している。
図のように、配電盤内に配設された遮断器２０は、電源側端子２０ａが、上位から遮断器２０に電気を供給するための電路２１に接続されている。そして、遮断器２０から下位へ通電させるための負荷側端子２０ｂに、端子台６を外した通電情報表示装置１の入力側接続端子５を締付ねじ７を用いて締め付けて固着する。このとき、入力側接続端子５の先端両側にテーパ部５ｃを形成しているので、遮断器２０の負荷側端子２０ｂの取付位置へ容易に挿入して接続することができる。なお、通電情報表示装置１の出力側接続端子８に負荷側の導体を接続するときは、前面の表示部４を取り外した状態で作業する。
【００１９】
以上のようにして組み合わされた通電情報表示装置１の動作について簡単に説明する。図３で説明したように、入力側接続端子５と出力側接続端子８間に設けた電流検出部２ａ，電圧検出部２ｂ及び漏電検出部２ｃの検出信号を、フィルタ・増幅部２ｄを通して演算・処理部２ｅに送り、演算結果を表示部４の７セグ表示部４ａやＬＥＤ表示部４ｂに表示させる。また、演算条件・制御条件をボタン入力部４ｃより入力し、演算・処理部２ｅはその入力条件に合わせた動作を行う。
【００２０】
図６は本実施の形態による通電情報表示装置１が設置された配電盤（分電盤）のイメージ図である。
分電盤２２内に配設された主幹バー２３の基端に、主幹遮断器２４が配置され、主幹バー２３から直交する両方向に分岐バー２５が接続され、この分岐バー２５に分岐遮断器２６，２７が配置され、分岐遮断器２６，２７から各電気設備へ配電される。電力の安定供給、省エネルギー対策として各電気設備毎の通電情報を得るために、主幹遮断器２４と、分岐遮断器２６，２７（必要に応じ選択される。図では、２個の分岐遮断器２６を対象としている）に、通電情報表示装置１が取り付けられている。通電情報表示装置１は端子台６を取り外した状態で、入力側接続端子５を直接各遮断器の負荷側端子に取り付ける。これにより、取付が簡単になり、また、分電盤２２内の設置スペースも少なくて済むので、分電盤を小型化できる。
なお、盤内設置の場合でも、遮断器に直接接続しない場合は、端子台付の状態で設置してもよいのは言うまでもない。
【００２１】
以上のように、本実施の形態の通電情報表示装置によれば、入力側接続端子を保持する端子台を、入力側接続端子及び筐体に着脱可能に構成したので、端子台を装着した状態では、配電盤の内外にかかわらず任意の場所で設置可能であり、端子台を外した状態では、入力側接続端子が突出するので、直接配電盤内の遮断器に接続できる。したがって、配電盤内及び配電盤外での接続に対応できると共に、配電盤内に配設する場合は、接続導体を必要としないため接続作業が簡単になり、また、設置スペースを節約できるので、配電盤を小型化できる。
【００２２】
また、端子台を筐体に装着したときに、装着面の一方に設けた係合突起が、他方に設けた係合溝に係合するように構成したので、端子台を入力側接続端子に装着するときに、係合突起と係合溝とが係合して、確実に位置決めされ、嵌挿が容易となる。
【００２３】
また、入力側接続端子の幅方向の側面に嵌合凹部を設け、端子台側に嵌合凹部と嵌合する嵌合凸部を設け、端子台を入力側接続端子に装着したときに、嵌合凸部と嵌合凹部とが嵌合して係止するように構成したので、装着を確実にできると共に、端子台が装着された状態において、電路に接続させるために締付ねじを外した場合でも端子台が入力側接続端子及び筐体に仮固定されているため、接続作業が容易になる。
【００２４】
更にまた、入力側接続端子の先端側の両角部にテーパ部又はＲ部を形成したので、入力側接続端子を端子台に装着させる場合、又は、入力側接続端子を遮断器の端子に接続させる場合に、接続部への挿入が容易となり、装着又は接続の作業性が向上する。
【図面の簡単な説明】
【００２５】
【図１】この発明の実施の形態１による通電情報表示装置を示す斜視図である。
【図２】図１の正面図である。
【図３】図１の通電情報表示装置の構成を示すブロック図である。
【図４】図１の端子台の着脱を説明する斜視図である。
【図５】図１の通電情報表示装置を遮断器に直付した状態を示す外観図である。
【図６】この発明の通電情報表示装置が設置された分電盤のイメージ図である。
【符号の説明】
【００２６】
１  通電情報表示装置                  ２  計測手段
２ａ  電流検出部                      ２ｂ  電圧検出部
２ｃ  漏電検出部                      ２ｄ  フィルタ・増幅部
２ｅ  演算・処理部                    ２ｆ  接点入出力部
３  筐体                              ３ａ  係合溝
３ｂ  取付用貫通穴                    ４  表示部
４ａ  ７セグ表示部                    ４ｂ  ＬＥＤ表示部
４ｃ  ボタン入力部                    ５  入力側接続端子
５ａ  貫通孔                          ５ｂ  嵌合凹部
５ｃ  テーパ部                        ６  端子台
６ａ  端子用凹部                      ６ｂ  隔壁
６ｃ  雌ねじ部                        ６ｄ  嵌合凸部
６ｅ  係合突起                        ６ｆ  取付用貫通穴
７  締付ねじ                          ８  出力側接続端子
９  電路                            ２０  遮断器
２０ａ  電源側端子                    ２０ｂ  負荷側端子
２１  電路                            ２２  分電盤
２３  主幹バー                        ２４  主幹遮断器
２５  分岐バー                        ２６，２７  分岐遮断器。
【図１】
2010071667.tif 000003
【図２】
2010071667.tif 000004
【図３】
2010071667.tif 000005
【図４】
2010071667.tif 000006
【図５】
2010071667.tif 000007
【図６】
2010071667.tif 000008